(57)【要約】【課題】消防ポンプ用ホース洗浄の従来技術はホースをブラシでこすり多量の洗浄水使用の手作業と他方高圧洗浄機による洗浄は周囲に水が飛散汚染させる等水資源の損失と長時間作業による経済的な損失も多い作業であるが、本考案は従来作業を改善可能な簡易洗浄の器具である。【解決手段】本考案は水槽本体１と水槽蓋面２の双方にブラシを装着し、水槽本体１に水を満たし水槽本体下部より突出するブラシ６の上に乗せたホースを蓋面より下降のブラシ７が圧接し、その洗浄作業としてホースを左右に移動させる至極簡単作業で、使用水量も少なく、作業時間も短時間の経済的な簡易洗浄器具である。【選択図】図２
0003125974.tif 000002
【実用新案登録請求の範囲】
【請求項１】
蓋付きの長方形水槽底部固定板にブラシを装着し、他方開閉式蓋の内側にも固定板を取り付けし、その固定板にもブラシを装着して、水を満たした水槽に蓋をすることで上下のブラシ先端が交差するので、上下ブラシの間をホース移動させる事でホースが洗浄される消防ポンプ用ホース洗浄器具。
【請求項２】
水槽とホースの摩擦抵抗を減少させる目的で、水槽本体のホース挿入と引き出し口に回転ローラーを装着し、蓋面固定板にはホース浮上防止用回転ローラーを装着した消防ポンプ用ホース洗浄器具。
【考案の詳細な説明】
【技術分野】
【０００１】  本考案は、長方形水槽内に上向き、下向きのブラシを装着し、上下ブラシ間をホース移動する事でホースを洗浄する消防ポンプ用ホース洗浄器具に関するものである。
【背景技術】
【０００２】  消防ポンプ用ホースの使用後掃除洗浄はデッキブラシにより両面交互にこすりその後ホースで水をかけて洗い流す方法と、高圧噴射洗浄機による洗浄作業があるが双方とも多量の水を使用していた。
【考案の開示】
【考案が解決しようとする課題】
【０００３】  ホースの洗浄には多量の水と時間的、労働的負担も多くしかも作業従事は一般的に若年者担当が常態化し、避けたい作業の一つとして職場の頭痛の種である。
従って経済的損失も多いために、本考案の簡易式ホース洗浄器具により前述の欠点を解決しようとするものである。
【課題を解決するための手段】
【０００４】  本考案は、長方形水槽上部の一部をホース挿入、引き出し口用に切開し、水槽底部に板を固定しその板にブラシを装着し、水槽蓋体に装着したブラシは蓋を閉める事により水槽内に落下し、底部ブラシ上のホースを圧接し上下ブラシにより水槽内移動ホースは水槽開口部まで満たされた水の中で擦られて汚染物は洗浄され水中に落下する。
従ってこの洗浄器具は水槽内水の重力で定置され、蓋体と本体は鍵で固定されるのでホースの挿入引き出しの短時間作業で大量の水を使用することなく洗浄出来ることにより問題点を解決している。
【考案の効果】
【０００５】  上述の様に本考案の消防ポンプ用ホース洗浄器具は多量の水を使用することなく、しかも作業時間も短時間で終了し、ホースの洗浄効果にむらもなく水資源の節約効果と労働時間短縮、器具の廉価等その経済的効果は多大で社会的に役立つ器具である。
【考案を実施するための最良の形態】
【０００６】  長方形である蓋付き水槽を横長に使用し、水槽本体の左右上部をホース入出口として開口する。従って水槽内水位は水槽本体開口部位となる。
本考案の主装置であるブラシ固定は本体、蓋体共に固定用の基板を次の様に使用する。水槽本体内に装着の下部ブラシは基板に固定し、その基板の大きさは水槽内面壁に適度に接する面積とし基板が水の浮力で浮遊する事の無い様に防止策を講じた。
一方、蓋面に固定するブラシは蓋に金具２脚式２組で固定しその金具はブラシの高低調整とその先端横棒にはコイルバネをはめて回転ローラーの役を成さしめ、その機能は洗浄作業時ホースが上部となる蓋体ブラシに過剰な圧力が加わる事による過度なブラシ摩耗防止と、洗浄作業時のホースが上下ブラシ間移動中均等に密接する事で洗浄効果は向上する。
また、水槽本体のホース入出口には左右ともにローラーを装着した事が、ホース摩耗防止効果が生じる。
【実施例】
【０００７】  以下、添付図面に従って一実施例を説明する。１の耐久性の樹脂容器を水槽とし、３の蝶番を用いて上部の蓋を開閉式として、下部より突出のブラシ上に平たく横たわるホースの上に蓋を閉める事で落下した上部ブラシを合わせる事と、水槽内に適量水を注入する事で作業準備は完了する。【０００８】  ホースの挿入は５ホース入出時損耗予防ローラー上より挿入し１４ホース横ぶれ防止金棒の間を通す事で水槽内ホース移動が安定し５ホース引き出し時損耗予防ローラー上に１５ホースを設定し、蓋体に装着した８ホース上昇防止ローラーの下降で本考案機能は発揮されホースの左右移動により洗浄作業は行われる。【０００９】  本考案の一実施例は上述のごとき構成からなるものであるから、洗浄するホースを水槽内ブラシ上に平に置き、次に蓋体を閉めてブラシを密着させホースを左右に移動させて洗浄をし、水中に落下沈殿の汚泥等は随時排出する事で本考案の消防ポンプ用ホース洗浄器具はその目的を達成される。
【図面の簡単な説明】
【００１０】
【図１】本考案の水槽外観斜視図である。
【図２】本考案の水槽開放斜視図である。
【図３】水槽底面平面図である。
【図４】水槽蓋内面平面図である。
【図５】水槽本体と蓋側面断面図である。
【図６】水槽本体と蓋正面断面図である。
【図７】ホースの蓋面へ上昇抑止用ローラー正面図である。
【図８】ホース入出時損耗予防ローラー正面図である。
【符号の説明】
【００１１】  １、水槽本体
２、水槽蓋面
３、水槽本体と蓋面接続用蝶番
４、蓋面ブラシ装着基板固定用金棒
５、ホース入出時ホース損耗予防用ローラー
６、水槽本体装着ブラシ
７、水槽蓋面装着ブラシ
８、蓋面ブラシ上昇抑止用ローラー
９、水槽本体装着ブラシ固定用基板
１０、蓋面装着ブラシ固定用基板
１１、蓋面ブラシ固定板下降加圧用コイルバネ
１２、水槽本体ブラシ固定用板
１３、蓋面ブラシ固定用板
１４、挿入ホース左右振れ防止用金棒
１５、蓋面ブラシ固定板下降抑止パイプ
１６、洗浄用消防ポンプホース
【図１】
0003125974.tif 000003
【図２】
0003125974.tif 000004
【図３】
0003125974.tif 000005
【図４】
0003125974.tif 000006
【図５】
0003125974.tif 000007
【図６】
0003125974.tif 000008
【図７】
0003125974.tif 000009
【図８】
0003125974.tif 000010
【手続補正書】
【提出日】平成18年7月13日(2006.7.13)
【手続補正１】
【補正対象書類名】実用新案登録請求の範囲
【補正対象項目名】全文
【補正方法】変更
【補正の内容】
【実用新案登録請求の範囲】
【請求項１】
本体と蓋から成る長方形水槽の本体左右の一部を切開し左右各々にホース挿入、引き出しを容易にするため切開部に回転ローラーを装着し、本体底部設置の固定板へブラシを定着して、洗浄目的のホースは底部ブラシ上に平たく置き、他方開閉式蓋の内側設置の固定板にもブラシを定着し、次に上から蓋を下げる事で上下ブラシの先端が交差してホースは挟装され、洗浄作業時一定方向へ引き出されるホースは上下ブラシ間を摺接状態で移動する際に槽内水によりホース汚染物は遊離し、またホース引き出し時のホースをおさえる蓋面固定板に装着したホース浮上防止用回転ローラーを備えた事を特徴とする消防ポンプ用ホース洗浄器具。